(57)【特許請求の範囲】
【請求項１】
改良柱設置を決めた位置を定めたならば、該位置の地表から地中に向け固化材液を吐出し乍ら掘進し、所定の深度に達したならば、固化液の吐出を停止して、所定の長さに亘って繰り返えし、撹拌し乍ら所定の引上げ速度で掘削ロッドを引上げて改良柱を築造する方法であって、
前記における所定の長さの繰り返えしは、前記改良柱の全長に亘って行なうと共に、砂質及び粘土質を含む異なる地層間をまたがるように行うことを特徴とし、
前記掘進中における固化材液の配合は、各地層毎に予め定めた配合とすることを特徴とした地盤改良における改良柱の築造工法。
【請求項２】
所定の長さの繰り返えしは、固化液を吐出し乍ら行い、吐出する固化材液の配合は標準配合とすることを特徴とした請求項１記載の地盤改良における改良柱の築造工法。
【発明の詳細な説明】
【０００１】
【発明の属する技術分野】
この発明は地盤改良柱の強度を均一化することを目的とした地盤改良における改良柱の築造工法に関する。
【０００２】
【従来の技術】
従来地盤改良における改良柱は、固化材液を吐出し乍ら掘進するに当り、掘削スピードと、固化材液の吐出量を管理し乍ら改良柱を層状に築造している。
【０００３】
【発明により解決すべき課題】
前記従来の築造方法によれば、同質地層（例えば砂層、粘土層）の場合には同質の改良柱が出来るが、異質地層が重なっている場合には、地層毎に改良柱の強度が異なる問題点があった。
【０００４】
前記のように、改良柱に強度差があると、地震その他の横方向外力を受けた場合に、強度差の境目付近に応力が集中し、遂には挫屈破壊を生じる問題点がある。
【０００５】
【課題を解決するための手段】
この発明は、改良柱の築造に際し、上下方向に亘って繰り返しを行うことにより、改良柱の局部的強度変化がなくなり、前記従来の問題点を解決したのである。
【０００６】
即ちこの発明は、改良柱設置を決めた位置を定めたならば、該位置の地表から地中に向け固化材液を吐出し乍ら掘進し、所定の深度に達したならば、固化液の吐出を停止して、所定の長さに亘って繰り返えし、撹拌し乍ら所定の引上げ速度で掘削ロッドを引上げて改良柱を築造する方法であって、前記における所定の長さの繰り返えしは、前記改良柱の全長に亘って行なうと共に、砂質及び粘土質を含む異なる地層間をまたがるように行うことを特徴とし、 前記掘進中における固化材液の配合は、各地層毎に予め定めた配合とすることを特徴とした地盤改良における改良柱の築造工法である。また、前記において、所定の長さの繰り返えしは、固化液を吐出し乍ら行い、吐出する固化材液の配合は標準配合とすることを特徴とした地盤改良における改良柱の築造工法である。
【０００７】
この発明における掘進速度は、地質によって異なるが、通常砂質土の場合には毎分１〜２ｍであり、粘土層の場合には毎分０．５〜１ｍであるが、設計基準強度（例えば毎平方糎当り１０kgと同等又は以下）により異なる。前記における固化材液（例えばセメントミルク）の吐出量を一定にすれば、掘進速度が遅くなれば必然的に固化材液量の割合が多くなるが、掘進量に比例して固化材液量を定めることもできる。要は改良柱の強度をコントロールできれば良いことになる。
【０００８】
この発明の地盤改良技術は、比較的軽量な建物の基礎、基盤の圧密沈下の防止、側方流動、滑り破壊の防止及び山留め背面の強化など、各種の目的に使用することができる。
【０００９】
【発明の実施の形態】
この発明は、改良柱の強度を均一化する為に、掘進終了後、又は掘進中途において繰り返しを行うものである。
【００１０】
前記繰り返しによって上下方向の強度の不均一性が改善される。
【００１１】
【実施例１】
この発明の実施例を図面について説明する。図１において、先ず改良柱の築造位置に施工機を設置し、築造すべき改良柱の中心を定めて、これに掘削ロッドの中心を合わせる。ついで空掘部を所定の深度まで掘進したならば、掘削ロッドの下端から所定量の固化材液を吐出しながら所定の速度で改良柱となるべき部分を掘進する。掘進の深度が予め定めた深度に達したならば固化液の吐出を停止した後、前記空掘部の下端から、掘進下端までの全長に亘って繰り返す。具体的には掘削ロッドを回転し乍ら上下する。前記における繰り返しは、掘削ロッドを３〜６回全長に亘って上下して撹拌すれば、均一に混合することができる。前記繰り返しを終了したならば、掘削ロッドを所定の引上げ速度により撹拌し乍ら引上げれば、この場所の改良柱築造を完了する。一方固定材液は、セメント系固形材と、必要量の水とをミキサーに入れて十分混練し、流量計でチェックし乍ら所定の流速で供給する。
【００１２】
前記において、定流量の場合には、掘削速度の調節によって掘削土と固化材液との混合比率を調節することができる。
【００１３】
前記実施例は、改良柱の全長に亘って撹拌したが、異なる地層間をまたがるように繰り返したり、掘削の先端部を所定の長さに亘って繰り返すなどすればほぼ均等強さの改良柱を得ることができる。
【００１４】
【実施例２】
この発明の実施例を図２、３、４、５に基づいて説明する。この発明を実施するには、掘削機８を所定の位置にセットし、掘削ロッド７の軸芯と、改良柱９の中心線とを一致させた後掘削を開始する。この発明に使用する掘削ロッド７は、外管１の内側に、内管２を挿通し、内管２の下端に掘削ヘッド３を固定する。前記外管１の下端に枠体５を固定して、枠体５に内管２の下端を挿通し、該部へ撹拌棒４、４を半径方向に穿設してある。図中６は枠体５を支持する為に内管２へ嵌めた環体であり、前記内管２の上端部は動力に接続してある（図示していない）。従って内管２と、掘削ヘッド３のみが回転し、外管１と枠体５とは回転しないので、掘削土は撹拌棒４、４で破砕されると共に、枠体５で破砕され、結局掘削土は十分な破砕と混練を受けて固化材液と混合し、均質な改良柱を形成することになる。
【００１５】
この発明は、図４に示すように空掘部１０、余盛部１１及び改良部１２に分離されている。また図５に示すように、掘進時は固化材液を吐出し、吐出停止後、所定の範囲１３ａ（１部）、又は１３ｂ（全長）繰り返して掘削ロッドを引上げる。
【００１６】
前記繰り返し時に、固化材液を若干吐出する場合もあるが、固化材液の全使用量をほぼ一定にすれば、均質の改良柱が出来ることになる。
【００１７】
【発明の効果】
この発明によれば、掘進後、所定の長さに亘って繰り返しをするので、改良柱の強度を均等にする効果がある。
【００１８】
従って地震その他によって改良柱へ横方向から外力が掛っても異なる地層の重なり部分から破壊するおそれがなく、地盤改良の効果を十分発揮することができる。
【図面の簡単な説明】
【図１】この発明の実施例のブロック図。
【図２】同じく施工状態を示す説明図。
（ａ）掘削前の状態。
（ｂ）掘進開始の状態。
（ｃ）予定深度まで掘進した状態。
（ｄ）繰り返し後、掘削ロッドを引上げた状態。
【図３】同じく掘削ロッドの一部を省略した正面図。
【図４】同じく改良範囲を示す断面図。
【図５】同じく固化材液の吐出範囲を示す説明図。
【符号の説明】
１ 外管
２ 内管
３ 掘削ヘッド
４ 撹拌棒
５ 枠体
６ 環体
７ 掘削ロッド
８ 掘削機
９ 改良柱
１０ 空掘部
１１ 余盛部
【図１】
0003890427.tif 000002
【図２】
0003890427.tif 000003
【図３】
0003890427.tif 000004
【図４】
0003890427.tif 000005
【図５】
0003890427.tif 000006